(57)【特許請求の範囲】
【請求項１】
収納穴と、第一の係止部と、第二の係止部とを備える電子機器を支持する支持装置であって、
前記収納穴に挿入する反転スピンドルを有する本体と、
前記本体に設けられる第一のラッチ係止機構と、
前記本体に設けられる第二のラッチ係止機構と、
を含み、
前記反転スピンドルを軸に前記本体が回転され、前記第一のラッチ係止機構が前記第一の係止部とラッチ係止する場合は、前記本体が前記電子機器から突出し、
前記反転スピンドルを軸に前記本体が回転され、前記第二のラッチ係止機構が前記第二の係止部とラッチ係止する場合は、前記本体が前記電子機器に引き込む、
支持装置。
【請求項２】
前記本体が突出する場合は、前記電子機器が垂直に設置される、
請求項１に記載の支持装置。
【請求項３】
前記本体が引き込む場合は、前記電子機器が水平に設置される、
請求項１に記載の支持装置。
【請求項４】
前記支持装置は、モデムである、
請求項１に記載の支持装置。
【発明の詳細な説明】
【０００１】
【発明の属する技術分野】
本発明は、支持装置に関し、特に、電子機器の支持装置に関する。
【０００２】
【従来の技術】
図１は、電子機器１２を支持するための従来装置の側面図である。この装置は、電子機器１２を支持するために特別の脚部１１を採用しており、電子機器１２は垂直に設置される。この場合、幾つかの欠点も存在する。
【０００３】
１、材料の無駄使いと特別な脚部１１の使用のため、価格が高い。
【０００４】
２、特別な脚部１１は、失われやすい。
【０００５】
【発明が解決しようとする課題】
したがって、本発明の目的は、前記の問題点を解決するための電子機器支持装置を提供することにある。
【０００６】
【課題を解決するための手段】
前述の目的を達成するために、本発明は、電子機器を支持する支持装置を提供する。電子機器は、収納穴と、第一の係止部および第二の係止部を含む。この支持装置は、本体と、第一のラッチ係止機構および第二のラッチ係止機構を含む。本体は収納穴内に挿入する反転スピンドルを備える。第一のラッチ係止機構および第二のラッチ係止機構は、本体に配置される。第一のラッチ係止機構が第一の係止部とラッチ係止する場合は、支持装置の本体は突出し、電子機器は垂直に設置される。第二のラッチ係止機構が第二の係止部とラッチ係止する場合は、支持装置の本体が引き込み、電子機器は水平に設置される。
【０００７】
次に、添付した図面を参照しながら、本発明の好適な実施形態を詳細に説明する。
【０００８】
【発明の実施の形態】
図２は、図３に示される電子機器２０１を支持する支持装置２の斜視図である。装置２は、本体２０と、第一のラッチ係止機構２４と、第二のラッチ係止機構２６とを含む。本体２０は、選択された材料から作られ、一定の形態を有する。本体２０は、本体２０の両反対側に配置されたスピンドル２１を有するので、本体２０は、回転中心２２の周囲に回転することができる。
【０００９】
第一のラッチ係止機構２４は、本体２０の頂部に位置する。第二のラッチ係止機構２６は、弾性部材からなる。
【００１０】
図３は、支持装置２と電子機器２０１の分解組立図である。電子機器２０１は、収納穴２３と、第一の係止部２５および第二の係止部２７とを含む。電子機器２０１と本体２０の組み立てプロセスは、本体２０を曲げて、スピンドル２１を電子機器２０１の穴２３内に挿入する。次に、曲げられた本体２０が、材料の弾性によって自然に回復する。
【００１１】
図４は、支持装置２がどのように突出するかを示す概略図である。図５は、図４に示す支持装置２のＡ‐Ａ線に沿う断面図である。本体２０は、スピンドル２１を中心に、第１の位置に向かって時計方向に回転し、同様に、本体２０は、点線の位置から図５に示す線の位置まで回転する。これと同時に、本体２０の第一のラッチ係止機構２４は、電子機器２０１の第一の係止部２５とラッチ係止する。本体２０は、この方法によって、選択された位置に固定されることができる。支持装置２の本体２０は、電子機器２０１から突出する。
【００１２】
図６は、支持装置２の引き込みを説明する概略図である。図７は、図６に示す支持装置のＢ‐Ｂ線に沿う断面図である。本体２０は、スピンドル２１を中心に第二の位置に向かって、反時計方向に回転するとともに、本体２０は、点線の位置から図７に示す線の位置に回転する。これと同時に、本体２０の第二のラッチ係止機構２６は、電子機器２０１の第二の係止部２７とラッチ係止する。本体２０は、この方法によって、選択された位置に固定されることができる。支持装置２の本体２０は、電子機器２０１に格納される。言い換えると、図４、５、６および７は、装置２の本体２０が、どのようにして突出し、どのように引き込むかを示す。
【００１３】
図８は、図２に示される電子機器２０１が垂直に設置されることを説明する。図９は、図２に示される電子機器２０１が水平に設置されることを説明する。電子機器２０１を支持するための支持装置２は、電子機器２０１が垂直に設置されるように、支持装置２の本体が突出する。また、電子機器２０１の幾何学的なモデルは滑らかな外形を有するので、装置２の本体が引き込む間、電子機器２０１は水平に位置することができる。
【００１４】
好ましくは、この発明は、電子機器、例えば、モデムを支持するための支持装置を提供する。電子機器を支持するためのこの発明の支持装置は、２つの本体で対称に機能する。そのラッチ係止機構と係止部も対応する位置に対称に配置される。その結果として、複数の本体は共に突出しまたは引き込む。この支持装置は電子機器を支持することができ、電子機器は垂直または水平に設置されることができる。
【００１５】
ゆえに、本発明の支持装置は、少なくとも以下の利点を有する。
【００１６】
１、電子機器を支持するための特別な脚部の採用に較べると、材料の消費が最小化される。
【００１７】
２、電子機器に設けられるので、容易には失われない。
【００１８】
３、電子機器の形が変わらない。
【００１９】
４、複数の本体は、共に完全に突出しまたは引き込むことができる。
【００２０】
以上、本発明の好ましい実施形態を説明したが、本発明はこの実施形態に限定されず、本発明の趣旨を離脱しない限り、本発明に対するあらゆる変更は本発明の範囲に属する。
【図面の簡単な説明】
【図１】従来の電子機器支持装置の側面図である。
【図２】本発明の電子機器支持装置の斜視図である。
【図３】本発明の支持装置および電子機器の分解組立図である。
【図４】本発明の支持装置がどのように突出するかを示す概略図である。
【図５】図４の支持装置のＡ‐Ａ線に沿う断面図である。
【図６】本発明の支持装置がどのように引き込むかを示す概略図である。
【図７】図６の支持装置のＢ‐Ｂ線に沿う断面図である。
【図８】図２に示される電子機器が垂直に設置されることを示す側面図である。
【図９】図２に示される電子機器が水平に設置されることを示す側面図である。
【符号の説明】
２      支持装置
２０    本体
２１    スピンドル
２２    回転中心
２３    穴
２４    第一のラッチ係止機構
２５    第一の係止部
２６    第一のラッチ係止機構
２７    第二の係止部
２０１  電子機器
【図１】
0003844961.tif 000002
【図２】
0003844961.tif 000003
【図３】
0003844961.tif 000004
【図４】
0003844961.tif 000005
【図５】
0003844961.tif 000006
【図６】
0003844961.tif 000007
【図７】
0003844961.tif 000008
【図８】
0003844961.tif 000009
【図９】
0003844961.tif 000010